(57)【要約】【課題】  ユーザが迅速に帳票を撮影することができるようにする。【解決手段】  撮影台装置１は、撮影対象の帳票を配置させるための載置台１１と、載置台１１との間に帳票を挟み込む透明または半透明な板状のカバー１２と、携帯端末装置２を、載置台１１およびカバー１２の上方の位置に配置する端末配置部１３と、カバー１２が閉じられたことを検出するセンサと、センサによりカバーが閉じられたことが検出されたときに、携帯端末装置２へ、ただちに撮影を実行させる撮影指令へ送信する通信装置とを備える。【選択図】  図１
2016076753.tif 000002
【特許請求の範囲】
【請求項１】
撮影対象の帳票を配置させるための載置台と、
前記載置台との間に前記帳票を挟み込む透明または半透明な板状のカバーと、
携帯端末装置を、前記載置台および前記カバーの上方の位置に配置する端末配置部と、
前記カバーが閉じられたことを検出するセンサと、
前記センサにより前記カバーが閉じられたことが検出されたときに、前記携帯端末装置へ、ただちに撮影を実行させる撮影指令へ送信する通信装置と、
を備えることを特徴とする撮影台装置。
【請求項２】
前記載置台は、前記通信装置を収容している収容部を備え、
前記端末配置部は、前記収容部から延びるアームまたは前記収容部に接続されるアームであり、
前記カバーは、前記収容部側の端部を中心として回動可能であること、
を特徴とする請求項１記載の撮影台装置。
【請求項３】
請求項１または請求項２記載の撮影台装置と、
前記携帯端末装置用の撮影プログラムとを備え、
前記携帯端末装置は、視界の画像を撮影し撮影した画像の画像データを生成する撮像部を備え、
前記撮影プログラムは、前記携帯端末装置内のコンピュータに、
前記撮影指令を受信するステップと、
前記撮影指令を受信した場合、ただちに前記撮像部に撮影および前記画像データの生成を実行させるステップとを実行させること、
を特徴とする帳票撮影システム。
【請求項４】
前記撮影プログラムは、前記携帯端末装置内のコンピュータに、さらに、
前記画像データを所定のサーバへ送信するステップを実行させること、
を特徴とする請求項３記載の帳票撮影システム。
【請求項５】
前記撮影プログラムは、前記携帯端末装置内のコンピュータに、さらに、
前記撮像部の視界が前記載置台および前記カバーの少なくとも一方の全部または所定部分を含むように前記撮像部の視界を調整するステップを実行させること、
を特徴とする請求項３記載の帳票撮影システム。
【発明の詳細な説明】
【技術分野】
【０００１】
本発明は、撮影台装置および帳票撮影システムに関するものである。
【背景技術】
【０００２】
ある帳票読取装置では、領収書などの帳票の画像を光学的に読み取り、読み取った画像から文字認識技術で文字情報を取得し財務システムに提供している（例えば特許文献１参照）。
【０００３】
また、別のシステムでは、原稿台に取り付けた書画カメラで原稿台上の原稿を撮影している（例えば特許文献２参照）。
【先行技術文献】
【特許文献】
【０００４】
【特許文献１】特開平８−３０７１９号公報
【特許文献２】特開２００６−１８６９４７号公報
【発明の概要】
【発明が解決しようとする課題】
【０００５】
しかしながら、上述の帳票読取装置では、ユーザは、帳票を１枚ずつ装置に読み取らせるための操作を行う必要があり、多数の帳票を迅速に読み取らせることが困難である。また、このような装置では、通常、スキャナのドライバをパーソナルコンピュータに予めインストールしておき、読み取りを行う際に、スキャナをパーソナルコンピュータに接続してドライバを起動した上で、読み取りを行う必要があるので、ユーザにとっては、事前に非常に煩雑な作業が要求される。
【０００６】
また、上述のシステムでは、原稿の撮影のために、シャッタを押して原稿を撮影したり、装置が原稿を認識するまで一定時間が経過するまで待ったりする必要があり、迅速に帳票を撮影することは困難である。
【０００７】
本発明は、上記の問題に鑑みてなされたものであり、ユーザが迅速に帳票を撮影することができる撮影台装置および帳票撮影システムを得ることを目的とする。
【課題を解決するための手段】
【０００８】
本発明に係る撮影台装置は、撮影対象の帳票を配置させるための載置台と、載置台との間に帳票を挟み込む透明または半透明な板状のカバーと、携帯端末装置を、載置台およびカバーの上方の位置に配置する端末配置部と、カバーが閉じられたことを検出するセンサと、センサによりカバーが閉じられたことが検出されたときに、携帯端末装置へ、ただちに撮影を実行させる撮影指令を送信する通信装置とを備える。
【０００９】
本発明に係る帳票撮影システムは、上述の撮影台装置と、携帯端末装置用の撮影プログラムとを備える。携帯端末装置は、視界の画像を撮影し撮影した画像の画像データを生成する撮像部を備える。そして、撮影プログラムは、携帯端末装置内のコンピュータに、撮影指令を受信するステップと、撮影指令を受信した場合、ただちに撮像部に撮影および画像データの生成を実行させるステップとを実行させる。
【発明の効果】
【００１０】
本発明によれば、ユーザが迅速に帳票を撮影することができる。
【図面の簡単な説明】
【００１１】
【図１】図１は、本発明の実施の形態に係る撮影台装置を示す斜視図である（１／２）。
【図２】図２は、本発明の実施の形態に係る撮影台装置を示す斜視図である（２／２）。
【図３】図３は、図１および図２に示す撮影台装置におけるセンサの一例を説明する図である。
【図４】図４は、本発明の実施の形態に係る帳票撮影システムの電気的な構成を示すブロック図である。
【図５】図５は、載置台１１上に置かれカバー１２で押さえられている帳票の一例を示す図である。
【図６】図６は、撮影された帳票の画像の表示例を示す図である。
【発明を実施するための形態】
【００１２】
以下、図に基づいて本発明の実施の形態を説明する。
【００１３】
図１および図２は、本発明の実施の形態に係る撮影台装置を示す斜視図である。図３は、図１および図２に示す撮影台装置におけるセンサの一例を説明する図である。
【００１４】
図１および図２に示す撮影台装置１は、載置台１１、カバー１２、端末配置部１３、センサ１４、および通信装置１５を備える。
【００１５】
載置台１１は、撮影対象の帳票を配置させるための略板状の部材である。載置台１１は、例えば樹脂製である。
【００１６】
カバー１２は、載置台１１との間に帳票を挟み込む透明または半透明な板状の部材である。カバー１２は、例えば樹脂製またはガラス製である。
【００１７】
端末配置部１３は、携帯端末装置２を、載置台１１およびカバー１２の上方の位置に配置する。この携帯端末装置２は、例えば、撮影機能と通信機能とを有するスマートフォンである。端末配置部１３は、握持、吸着などの手段で着脱可能に携帯端末装置２を固定してもよいし、単に携帯端末装置２を載置可能な台座としてもよい。
【００１８】
センサ１４は、カバー１２が閉じられたことを検出する。この実施の形態では、センサ１４は、カバー１２の下面に配置された電極１４ａと、載置台１１の上面に配置された電極１４ｂとを有し、２つの電極１４ａは電気的に接続されており、電極１４ａおよび電極１４ｂは、カバー１２が閉じられたときに接触する位置に配置されている。つまり、カバー１２が開けられているときは、一方の電極１４ｂと他方の電極１４ｂとは、電気的に開放状態にあり、カバー１２が閉じられているときは、一方の電極１４ｂと他方の電極１４ｂとは、電気的に短絡状態にある。このように、電極１４ｂ間の導通状態に基づいてカバー１２の開閉が検出される。
【００１９】
通信装置１５は、センサ１４によりカバー１２が閉じられたことが検出されたときに、携帯端末装置２へ、ただちに撮影を実行させる撮影指令を送信する。例えば、通信装置１５は、ブルートゥース（登録商標）などの無線通信規格に従って無線通信で撮影指令を送信する。
【００２０】
この実施の形態では、載置台１１は、通信装置１５を収容している収容部２１を備えており、端末配置部１３は、収容部２１から延びるアームまたは収容部２１に接続されるアームとされている。端末配置部１３は、樹脂および／または金属製であって、折り畳み可能なリンク構造としてもよいし、フレキシブルアームとしてもよい。さらに、この実施の形態では、図１および図２に示すように、カバー１２の一端には、２つのヒンジ２２が設けられており、ヒンジ２２によってカバー１２と載置台１１が接続されている。これにより、カバー１２は、収容部２１側の端部を中心として回動可能となっている。
【００２１】
また、端末配置部１３には、撮影孔１３ａが形成されており、端末配置部１３が携帯端末装置２の視界に入らないようになっている。
【００２２】
図４は、本発明の実施の形態に係る帳票撮影システムの電気的な構成を示すブロック図である。このシステムは、上述の撮影台装置１と、携帯端末装置２用の撮影プログラムとを備えている。
【００２３】
撮影台装置１は、上述のセンサ１４および通信装置１５の他、コントローラ１６を備える。コントローラ１６は、通信装置１５とともに収容部２１に配置されており、センサ１４を監視し、カバー１２が閉じられたことが検出されると、上述の撮影指令を通信装置１５に送信させる。この実施の形態では、コントローラ１６が、上述のセンサ１４の電極１４ｂに電気的に接続されており、カバー１２が閉じられたことをセンサ１４で検知する。
【００２４】
なお、この実施の形態では、通信装置１５およびコントローラ１６は、図示せぬ内蔵電池（一次電池または二次電池）から供給される電力で動作する。通信装置１５およびコントローラ１６は、外部の電源装置（ＡＣアダプタなど）から供給される電力で動作するようにしてもよい。
【００２５】
他方、携帯端末装置２は、スマートフォンなどの、撮影機能および通信機能を有し、アプリケーションをインストール可能な装置であり、通信部６１、撮像部６２、記憶装置６３、表示装置６４、入力装置６５、および演算処理装置６６を備える。
【００２６】
通信部６１は、近距離無線通信のインターフェイス、無線ＬＡＮインターフェイス、携帯電話網の無線インターフェイスなどを含む。
【００２７】
撮像部６２は、光学系、撮像素子などを有し、光学系の視界の画像を撮影し撮影した画像の画像データを生成する。
【００２８】
記憶装置６３は、フラッシュメモリなどの不揮発性の記憶装置であり、ここでは、アプリケーションプログラムである撮影プログラム７１を記憶している。例えば、撮影プログラム７１は、アプリストアなどのサーバからダウンロードされ携帯端末装置２にインストールされる。
【００２９】
表示装置６４は、ユーザに各種画面を表示するための液晶ディスプレイなどの装置であり、入力装置６５は、ユーザ操作を検出するためのタッチパネルなどの装置である。
【００３０】
演算処理装置６６は、ＣＰＵ（Central Processing Unit）、ＲＯＭ（Read Only Memory）、ＲＡＭ（Random Access Memory）などを有するコンピュータを含み、記憶装置６３、ＲＯＭなどに記憶されているプログラムをＲＡＭにロードしＣＰＵで実行し、各種処理部として動作する。
【００３１】
ここでは、撮影プログラム７１を実行することで、演算処理装置６６は、通信処理部８１、および撮影処理部８２として動作する。
【００３２】
通信処理部８１は、撮影台装置１の通信装置１５から送信された撮影指令を通信部６１で受信する。
【００３３】
撮影処理部８２は、通信処理部８１により撮影指令が受信された場合、ただちに撮像部６２に撮影および画像データの生成を実行させる。
【００３４】
この実施の形態では、さらに、通信処理部８１は、生成された画像データを、通信部６１を使用して所定のサーバへ送信する。
【００３５】
また、この実施の形態では、撮像部６１がズーム機能を有している場合、撮影処理部８２は、撮像部６１の視界が載置台１１およびカバー１２の少なくとも一方の全部または所定部分（例えば載置台１１またはカバー１２に配置されたマーカで指定された領域）を含むようにズーム機能で撮像部６１の視界を調整する。
【００３６】
次に、上記システムにおける帳票の読み取りについて説明する。
【００３７】
まず、ユーザは、携帯端末装置２を操作して撮影プログラム７１を起動し、図２に示すように、携帯端末装置２を端末配置部１３に配置する。
【００３８】
携帯端末装置２では、撮影プログラム７１が実行されると、通信処理部８１が、撮影台装置１の通信装置１５から撮影指令が通信部６１で受信されたか否かを監視する。
【００３９】
図５は、載置台１１上に置かれカバー１２で押さえられている帳票の一例を示す図である。その後、ユーザは、図２および図５に示すように、カバー１２の取っ手１２ａを持ってカバー１２を開き、載置台１１上に帳票１０１を置き、カバー１２を閉じる。
【００４０】
ユーザがカバー１２を閉じると、センサ１４によりカバー１２が閉じられたことが検出され、ただちに、コントローラ１６は、通信装置１５で撮影指令を携帯端末装置２へ送信する。
【００４１】
携帯端末装置２では、通信処理部８１がその撮影指令を受信すると、撮影処理部８２は、ただちに撮像部６２に撮影および画像データの生成を実行させる。
【００４２】
このように、スキャナをパーソナルコンピュータに接続するような事前準備を行うことなく、ユーザはカバー１２を閉じるだけで、帳票を撮影し読み込ませることができる。ユーザが帳票を載置台１１に配置しカバー１２を閉じるだけで、その帳票の読み込みが自動的に行われるため、大量の帳票を連続して読み込ませる場合に迅速に帳票の読み込みを行わせることができる。また、カバー１２で押さえた状態で帳票を撮影するため、折り目が付いたような帳票であっても正対した帳票の画像が確実に撮影される。
【００４３】
そして、この実施の形態では、携帯端末装置２の撮影処理部８２は、帳票１０１の撮影画像を表示装置６４に表示させる。図６は、撮影された帳票の画像の表示例を示す図である。図６に示すように、帳票１０１の撮影画像２０１とともに、ソフトキーとして、ＯＫキー２０２およびキャンセルキー２０３が表示される。そして、ＯＫキー２０２が押下されると、この撮影画像２０１の画像データ（または、この撮影画像２０１のうちの帳票部分の画像データ、または撮影画像２０１から文字認識で得られるテキスト情報）が通信処理部８１および通信部６１によって所定のサーバ（会計処理用のサーバ、記帳などの会計処理サービスの委託先のサーバなど）へ送信されたり、記憶装置６３に格納されたりする。なお、キャンセルキー２０３が押下された場合、撮影画像２０１が破棄される。
【００４４】
なお、ここでは、図６に示すような画面を表示させているが、このような画面を表示させずに、撮影画像の画像データ（または、撮影画像のうちの帳票部分の画像データ、または撮影画像から文字認識で得られるテキスト情報）をただちに所定のサーバへ送信したり、記憶装置６３に格納したりするようにしてもよい。
【００４５】
以上のように、上記実施の形態によれば、撮影台装置１は、撮影対象の帳票１０１を配置させるための載置台１１と、載置台１１との間に帳票１０１を挟み込む透明または半透明な板状のカバー１２と、携帯端末装置２を、載置台１１およびカバー１２の上方の位置に配置する端末配置部１３と、カバー１２が閉じられたことを検出するセンサ１４と、センサ１４によりカバー１２が閉じられたことが検出されたときに、携帯端末装置２へ、ただちに撮影を実行させる撮影指令へ送信する通信装置１５とを備える。
【００４６】
これにより、ユーザが迅速に帳票を撮影することができる。
【００４７】
また、端末配置部１３を載置台１１（収容部２１）に対して着脱可能な別体とすることで、使用しないときに撮影台装置１を収納しておくために大きな場所を取らない。さらに、端末配置部１３を載置台１１にセットし、ユーザが携帯している携帯端末装置２において撮影プログラム７１を起動し、携帯端末装置２を端末配置部１３に配置するだけ事前準備が完了するので、撮影台装置１を収納してあった状態から、ユーザは短時間で撮影を開始できる。
【００４８】
また、上記実施の形態によれば、載置台１１は、通信装置１５を収容している収容部２１を備え、端末配置部１３は、収容部２１から延びるアームまたは収容部２１に接続されるアームであり、カバー１２は、収容部２１側の端部を中心として回動する。
【００４９】
これにより、カバー１２を開けたときに、端末配置部１３がカバー１２に干渉しにくくなる。
【００５０】
なお、上述の実施の形態は、本発明の好適な例であるが、本発明は、これらに限定されるものではなく、本発明の要旨を逸脱しない範囲において、種々の変形、変更が可能である。
【００５１】
例えば、上記実施の形態において、センサ１４は、接触センサの一種であるが、例えば光学式の非接触センサとしてもよい。
【００５２】
また、上記実施の形態において、通信装置１５は、無線通信で携帯端末装置２と通信しているが、有線通信で携帯端末装置２と通信するようにしてもよい。
【００５３】
さらに、上記実施の形態において、通信装置１５が、無線通信で携帯端末装置２と通信する場合、ブルートゥース（登録商標）のペアリングのような手順で、撮影指令の送信先となる携帯端末装置２を通信装置１５に予め設定しておくようにしてもよい。
【００５４】
さらに、上記実施の形態において、撮影画像から帳票部分の画像を抽出する場合には、載置台１１の上面の色は、黒色などの濃い無地の単色とすることが好ましい。
【００５５】
さらに、上記実施の形態において、例えばカバー１２の下面や載置台１１の上面に微小な突起を設けるなどして、カバー１２の下面と載置台１１上の帳票１０１との間に微小な空間を設けるようにしてもよい。このようにすることで、カバー１２を開けたときに、帳票１０１がカバー１２の下面に密着したままになりにくくなる。
【産業上の利用可能性】
【００５６】
本発明は、例えば、大量な領収書などの帳票の読み取りに適用可能である。
【符号の説明】
【００５７】
１  撮影台装置
２  携帯端末装置
１１  載置台
１２  カバー
１３  端末配置部
１４  センサ
１５  通信装置
２１  収容部
６２  撮像部
７１  撮影プログラム
１０１  帳票
【図１】
2016076753.tif 000003
【図２】
2016076753.tif 000004
【図３】
2016076753.tif 000005
【図４】
2016076753.tif 000006
【図５】
2016076753.tif 000007
【図６】
2016076753.tif 000008